(57)【要約】【課題】ネットワークに接続された複数のプロジェクターがコンテンツデータを共有するとき、制御装置の介在を不要とし、煩雑なネットワーク設定を行う必要のないプロジェクターシステムを提供する。【解決手段】送信側プロジェクター１０００と、１以上の受信側プロジェクターとがネットワークを介して接続され、送信側プロジェクター１０００はコンテンツデータ入力部と、コンテンツデータ処理部と、送信制御部とを有し、１以上の受信側プロジェクターはコンテンツデータ受信部を有するプロジェクターシステム１。【選択図】図１
2010262201.tif 000002
【特許請求の範囲】
【請求項１】
送信側プロジェクターと、１以上の受信側プロジェクターとがネットワークを介して接続され、
前記送信側プロジェクターは、
コンテンツデータが入力されるコンテンツデータ入力部と、
入力されたコンテンツデータを処理し、前記１以上の受信側プロジェクターとの間で共有する共有コンテンツデータを生成するコンテンツデータ処理部と、
前記コンテンツデータ処理部で生成された前記共有コンテンツデータを、前記１以上の受信側プロジェクターに送信する制御を行う送信制御部と、
を有し、
前記受信側プロジェクターは、
前記送信側プロジェクターから送信される前記共有コンテンツデータを受信するコンテンツデータ受信部を有することを特徴とするプロジェクターシステム。
【請求項２】
請求項１に記載のプロジェクターシステムにおいて、
前記送信制御部は、前記１以上の受信側プロジェクターの個々のプロジェクターについて、前記共有コンテンツデータの送信を行うべき受信側プロジェクターであるか否かを、ネットワーク上の送信アドレスの設定がなされているか否かによって判定することを特徴とするプロジェクターシステム。
【請求項３】
請求項１又は２に記載のプロジェクターシステムにおいて、
前記送信側プロジェクターは、前記共有コンテンツデータにはどのようなデータが含まれるかを示す共有情報が設定されている共有情報設定部を有し、
前記送信制御部は、前記共有情報設定部から取得した前記共有情報に基づいて前記共有コンテンツデータを送信することを特徴とするプロジェクターシステム。
【請求項４】
請求項３に記載のプロジェクターシステムにおいて、
前記共有情報は、投写すべき画像に対応する画像データが含まれるか否かを示す情報であることを特徴とするプロジェクターシステム。
【請求項５】
請求項４に記載のプロジェクターシステムにおいて、
前記共有情報は、投写すべき画像を調整する画像調整データが含まれるか否かを示す情報であることを特徴とするプロジェクターシステム。
【請求項６】
請求項１〜５のいずれかに記載のプロジェクターシステムにおける送信側プロジェクターとして用いられるプロジェクターであって、
コンテンツデータが入力されるコンテンツデータ入力部と、
入力されたコンテンツデータを処理し、前記１以上の受信側プロジェクターとの間で共有する共有コンテンツデータを生成するコンテンツデータ処理部と、
前記コンテンツデータ処理部で生成された前記共有コンテンツデータを、前記１以上の受信側プロジェクターに送信する制御を行う送信制御部と、
を有することを特徴とするプロジェクター。
【請求項７】
請求項１〜５のいずれかに記載のプロジェクターシステムにおける送信側プロジェクターとして用いられるプロジェクターの制御方法であって、
コンテンツデータが入力されるステップと、
入力されたコンテンツデータを処理し、前記１以上の受信側プロジェクターとの間で共有する共有コンテンツデータを生成するステップと、
前記コンテンツデータ処理部で生成された前記共有コンテンツデータを、前記１以上の受信側プロジェクターに送信する制御を行うステップと、
を有することを特徴とするプロジェクターの制御方法。
【請求項８】
請求項１〜５のいずれかに記載のプロジェクターシステムにおける送信側プロジェクターとして用いられるプロジェクターの制御プログラムであって、
コンテンツデータが入力されるステップと、
入力されたコンテンツデータを処理し、前記１以上の受信側プロジェクターとの間で共有する共有コンテンツデータを生成するステップと、
前記コンテンツデータ処理部で生成された前記共有コンテンツデータを、前記１以上の受信側プロジェクターに送信する制御を行うステップと、
を有することを特徴とするプロジェクターの制御プログラム。
【発明の詳細な説明】
【技術分野】
【０００１】
本発明は、プロジェクターシステム、プロジェクター、プロジェクターの制御方法及びプロジェクターの制御プログラムに関する。
【背景技術】
【０００２】
従来、パーソナルコンピューター等の制御装置と、複数のプロジェクターとがネットワークを介して接続されるプロジェクターシステムが知られている（例えば、特許文献１参照。）。
【０００３】
特許文献１に開示されているようなプロジェクターシステム（以下、従来のプロジェクターシステムという。）によれば、制御装置が送信するコンテンツデータを、ネットワークを介して、複数のプロジェクターが共有することが可能となる。
【先行技術文献】
【特許文献】
【０００４】
【特許文献１】特開２００６−３９０３号公報
【発明の概要】
【発明が解決しようとする課題】
【０００５】
しかしながら、従来のプロジェクターシステムにおいては、あるプロジェクターにコンテンツデータが入力されている場合、他のプロジェクターにおいても同様のコンテンツデータを共有しようとすると、同じ内容のコンテンツデータを制御装置からそれぞれ対応する他のプロジェクターに送信する必要がある。
このように、従来のプロジェクターシステムにおいては、制御装置をホストとし、プロジェクターをネットワーク上の単なるディスプレイ装置として扱っているため、ユーザーは制御装置側の煩雑なネットワーク設定等を行う必要がある。
【０００６】
本発明は、上記事情に鑑みてなされたもので、ネットワークに接続された複数のプロジェクターがコンテンツデータを共有する場合、制御装置の介在を不要とし、煩雑なネットワーク設定を行う必要のないプロジェクターシステムを提供することを目的とする。また、そのようなプロジェクターシステムに用いるためのプロジェクター、プロジェクターの制御方法及びプロジェクターの制御プログラムを提供することを目的とする。
【課題を解決するための手段】
【０００７】
本発明のプロジェクターシステムは、送信側プロジェクターと、１以上の受信側プロジェクターとがネットワークを介して接続され、前記送信側プロジェクターは、コンテンツデータが入力されるコンテンツデータ入力部と、入力されたコンテンツデータを処理し、前記１以上の受信側プロジェクターとの間で共有する共有コンテンツデータを生成するコンテンツデータ処理部と、前記コンテンツデータ処理部で生成された前記共有コンテンツデータを、前記１以上の受信側プロジェクターに送信する制御を行う送信制御部と、を有し、前記受信側プロジェクターは、前記送信側プロジェクターから送信される前記共有コンテンツデータを受信するコンテンツデータ受信部を有することを特徴とする。
【０００８】
このように、本発明のプロジェクターシステムにおいては、送信側プロジェクターがコンテンツデータ処理部と、送信制御部とを有するため、送信側プロジェクターに入力されるコンテンツデータを受信側プロジェクターにおいても共有することができる。このため、本発明のプロジェクターシステムによれば、ネットワークに接続された複数のプロジェクターがコンテンツデータを共有する場合、制御装置の介在を不要とし、煩雑なネットワーク設定を行う必要がなくなり、簡易なプロジェクターシステムとすることができる。
【０００９】
本発明のプロジェクターシステムにおいては、前記送信制御部は、前記１以上の受信側プロジェクターの個々のプロジェクターについて、前記共有コンテンツデータの送信を行うべき受信側プロジェクターであるか否かを、ネットワーク上の送信アドレスの設定がなされているか否かによって判定することが好ましい。
【００１０】
このような構成とすることにより、簡易な設定によって、共有コンテンツデータの送信を行うべき受信側プロジェクターに対してのみ、共有コンテンツデータを送信することが可能となる。
【００１１】
本発明のプロジェクターシステムにおいては、前記送信側プロジェクターは、前記共有コンテンツデータにはどのようなデータが含まれるかを示す共有情報が設定されている共有情報設定部を有し、前記送信制御部は、前記共有情報設定部から取得した前記共有情報に基づいて前記共有コンテンツデータを送信することが好ましい。
【００１２】
このような構成とすることにより、共有コンテンツデータとして送信する情報の内容を管理することが可能となる。
【００１３】
本発明のプロジェクターシステムにおいては、前記共有情報は、投写すべき画像に対応する画像データが含まれるか否かを示す情報であることが好ましい。
【００１４】
このような構成とすることにより、送信側プロジェクターと１以上の受信側プロジェクターとの間で画像データを共有するか否かを、共有情報によって管理することが可能となる。
【００１５】
本発明のプロジェクターシステムにおいては、前記共有情報は、投写すべき画像を調整する画像調整データが含まれるか否かを示す情報であることが好ましい。
【００１６】
このような構成とすることにより、送信側プロジェクターと１以上の受信側プロジェクターとの間で画像調整データを共有するか否かを、共有情報によって管理することが可能となる。
【００１７】
本発明のプロジェクターは、本発明のプロジェクターシステムにおける送信側プロジェクターとして用いられるプロジェクターであって、コンテンツデータが入力されるコンテンツデータ入力部と、入力されたコンテンツデータを処理し、前記１以上の受信側プロジェクターとの間で共有する共有コンテンツデータを生成するコンテンツデータ処理部と、前記コンテンツデータ処理部で生成された前記共有コンテンツデータを、前記１以上の受信側プロジェクターに送信する制御を行う送信制御部と、を有することを特徴とする。
【００１８】
このため、本発明のプロジェクターは、本発明のプロジェクターシステムの送信側プロジェクターとして用いることが可能となる。
【００１９】
本発明のプロジェクターの制御方法は、本発明のプロジェクターシステムにおける送信側プロジェクターとして用いられるプロジェクターの制御方法であって、コンテンツデータが入力されるステップと、入力されたコンテンツデータを処理し、前記１以上の受信側プロジェクターとの間で共有する共有コンテンツデータを生成するステップと、前記コンテンツデータ処理部で生成された前記共有コンテンツデータを、前記１以上の受信側プロジェクターに送信する制御を行うステップと、を有することを特徴とする。
【００２０】
このため、本発明のプロジェクターの制御方法によれば、本発明のプロジェクターシステムに用いる送信側プロジェクターを制御することが可能となる。
【００２１】
本発明のプロジェクターの制御プログラムは、本発明のプロジェクターシステムにおける送信側プロジェクターとして用いられるプロジェクターの制御プログラムであって、コンテンツデータが入力されるステップと、入力されたコンテンツデータを処理し、前記１以上の受信側プロジェクターとの間で共有する共有コンテンツデータを生成するステップと、前記コンテンツデータ処理部で生成された前記共有コンテンツデータを、前記１以上の受信側プロジェクターに送信する制御を行うステップと、を有することを特徴とする。
【００２２】
本発明のプロジェクターの制御プログラムによっても、本発明のプロジェクターシステムに用いる送信側プロジェクターを制御することが可能となる。
【図面の簡単な説明】
【００２３】
【図１】実施形態に係るプロジェクターシステム１を説明するために示す図。
【図２】実施形態に係る送信側プロジェクター１０００を説明するために示すブロック図。
【図３】実施形態に係るプロジェクターシステム１における設定画面の構成例を示す図。
【図４】実施形態に係るプロジェクターの制御方法を説明するために示すフローチャート。
【発明を実施するための形態】
【００２４】
以下、本発明のプロジェクターシステム、プロジェクター、プロジェクターの制御方法及びプロジェクターの制御プログラムについて、図に示す実施の形態に基づいて説明する。
【００２５】
［実施形態］
１．プロジェクターシステム及びプロジェクターの構成
図１は、実施形態に係るプロジェクターシステム１を説明するために示す図である。なお、図１において、矢印は大まかな情報の流れを示すものである。
実施形態に係るプロジェクターシステム１においては、図１に示すように、送信側プロジェクター１０００と、受信側プロジェクター３０００，４０００，５０００とがネットワーク２０００を介して接続されている。
【００２６】
図２は、実施形態に係る送信側プロジェクター１０００を説明するために示すブロック図である。なお、図２において、矢印は大まかな情報の流れを示すものである。
実施形態に係る送信側プロジェクター１０００は、コンテンツデータ入力部１００と、コンテンツデータ処理部２００と、送信制御部３００と、共有情報設定部４００とを有する。送信側プロジェクター１０００としては、種々のプロジェクターを用いることができ、例えば、液晶型プロジェクターやマイクロミラー型プロジェクターを好適に用いることができる。
【００２７】
コンテンツデータ入力部１００には、コンテンツデータが入力される。コンテンツデータは、例えば、外部機器、内部機器、ネットワーク等から入力される。外部機器とは、送信側プロジェクター１０００と外部的に接続され、コンテンツデータを送信側プロジェクター１０００に出力する機能を有する機器であり、例えば、ＤＶＤプレーヤー、パーソナルコンピューター、ビデオカメラ等である。内部機器とは、送信側プロジェクター１０００に内蔵され、コンテンツデータを送信側プロジェクター１０００に出力する機能を有する機器であり、例えば、内蔵型ハードディスクドライブ、フラッシュメモリ等である。
【００２８】
なお、実施形態においては、コンテンツデータは、投写すべき画像に対応する画像データ、投写すべき画像を調整する画像調整データ、出力すべき音声に対応する音声データ、出力すべき音声を調整する音声調整データ等とする。画像調整データとは、例えば、カラーモード、アスペクト比等であり、音声調整データとは、例えば、音量、サラウンド出力等である。
【００２９】
コンテンツデータ処理部２００は、コンテンツデータ入力部１００に入力されたコンテンツデータを処理し、受信側プロジェクター３０００，４０００，５０００との間で共有すべき共有コンテンツデータを生成する。また、コンテンツデータ処理部２００は、コンテンツデータ入力部１００に入力されたコンテンツデータを処理し、送信側プロジェクター１０００自身が用いるコンテンツデータとする機能をさらに有する。送信側プロジェクター１０００は、自身が用いるコンテンツデータを基に画像、音声等の出力を行う。
コンテンツデータ処理部２００は、詳しい図示による説明は省略するが、例えば、信号処理回路、コンテンツデータ処理回路、ＧＰＵを有する描画処理回路等を有する。
【００３０】
送信制御部３００は、コンテンツデータ処理部２００で処理された共有コンテンツデータを、受信側プロジェクター３０００，４０００，５０００に送信する。
また、送信制御部３００は、受信側プロジェクター３０００，４０００，５０００の個々のプロジェクターについて、共有コンテンツデータの送信を行うべき受信側プロジェクターであるか否かを、ネットワーク上の送信アドレスの設定がなされているか否かによって判定する。ネットワーク上の送信アドレスとは、例えば、各受信側プロジェクターに割り振られるＩＰアドレスである。ネットワーク上の送信アドレスの設定については、後述する。
また、送信制御部３００は、共有情報設定部４００から取得した共有情報に基づいて共有コンテンツデータを送信する。共有情報については、後述する。
【００３１】
共有情報設定部４００は、共有コンテンツデータに関する共有情報が設定されている。共有情報とは、共有コンテンツデータにはどのようなデータが含まれるかを示す情報であり、例えば、共有コンテンツデータに画像データ、画像調整データ、音声データ及び音声調整データのそれぞれが含まれるか否かを示す。なお、画像調整データ及び音声調整データを共有コンテンツデータが含むこととする場合、送信側プロジェクター１０００におけるこれらの設定が、受信側プロジェクター３０００，４０００，５０００でも有効となる。共有情報の設定については、後述する。
【００３２】
受信側プロジェクター３０００，４０００，５０００は、詳しい図示による説明は省略するが、送信側プロジェクター１０００から送信される共有コンテンツデータを受信するためのコンテンツデータ受信部を有する。受信側プロジェクター３０００，４０００，５０００のそれぞれは、共有コンテンツデータに含まれる種々のデータを基に画像、音声等の出力を行う。受信側プロジェクター３０００，４０００，５０００としては、種々のプロジェクターを用いることができ、例えば、液晶型プロジェクターやマイクロミラー型プロジェクターを好適に用いることができる。なお、受信側プロジェクター３０００，４０００，５０００は、それぞれコンテンツデータ受信部を有するならば、同一機種のプロジェクターであってもよいし、それぞれ異なる機種のプロジェクターであってもよい。
【００３３】
２．送信アドレス及び共有情報の設定
以下、ネットワーク上の送信アドレスの設定及び共有情報の設定について、詳細に説明する。
図３は、実施形態に係るプロジェクターシステム１における設定画面の構成例を示す図である。なお、図３に示す設定画面５００はあくまで一例であり、表示方法、表示内容の配置や名称、設定項目等はこれに限られるものではない。
【００３４】
設定画面５００は、ネットワーク上の送信アドレス及び共有情報の設定を行うための画面であり、送信アドレス設定箇所５１０及び共有情報設定箇所５２０を有する。設定画面５００は、例えば、送信側プロジェクター１０００のメニューから呼び出すことが可能であり、送信側プロジェクター１０００によってスクリーン等の投写対象に投写されることにより表示される。なお、送信側プロジェクター１０００が本体表面に液晶表示装置等の表示装置を有する場合は、設定画面５００は当該表示装置に表示されることとしてもよい。
【００３５】
送信アドレス設定箇所５１０は、受信側プロジェクター３０００，４０００，５０００のネットワーク上の送信アドレスを入力すべき箇所である。当実施形態においては、ネットワーク上の送信アドレスとは各受信側プロジェクターに割り振られるＩＰアドレスであり、「ＩＰアドレス設定」というように描画されているボタンを選択し、当該ボタンの左側にあるＩＰアドレス表示欄に受信側プロジェクター３０００，４０００，５０００のそれぞれのＩＰアドレスを入力する。
【００３６】
なお、図３においてはＩＰアドレスを入力する箇所が４つ表示されているが、表示される数は３つ以下でもよいし、５つ以上でもよい。ＩＰアドレスの入力は、例えば、送信側プロジェクター１０００の本体に配置されたキーや、リモコンを用いて行う。
【００３７】
共有情報設定箇所５２０は、共有コンテンツデータにはどのようなデータが含まれるかを設定する箇所である。画像データ、画像調整データ、音声データ及び音声調整データのそれぞれについて、図３に示すように、共有するならばＯＮのチェックボックスを、共有しないならばＯＦＦのチェックボックスを有効にする。
ＯＮのチェックボックスを有効にした項目については、当該項目についての情報が共有コンテンツデータに含まれることとなり、送信側プロジェクター１０００と受信側プロジェクター３０００，４０００，５０００との間で当該項目についてのデータが共有されることとなる。例えば、図３に示すところでは、共有コンテンツデータには、画像データ及び音声データが含まれ、画像調整データ及び音声調整データは含まれないこととなるため、結果として、送信側プロジェクター１０００と、受信側プロジェクター３０００，４０００，５０００との間では、映像及び音声を共有することとなる。
【００３８】
３．プロジェクターの制御方法
以下、プロジェクターの制御方法を詳細に説明する。
図４は、実施形態に係るプロジェクターの制御方法を説明するために示すフローチャートである。
【００３９】
Ａ．ステップＳ１
まず、ステップＳ１において、コンテンツデータが入力されているか否かを確認する。ステップＳ１は、例えば、コンテンツデータ入力部１００にコンテンツデータが入力されているか否かを確認することによって実行される。このとき、コンテンツデータの入力がされていない場合は、コンテンツデータが入力されるまでステップＳ１を繰り返す。コンテンツデータが入力されている場合は、ステップＳ２に進む。
【００４０】
Ｂ．ステップＳ２
次に、ステップＳ２において、コンテンツデータを処理する。ここで、ステップＳ２における処理とは、ステップＳ１で入力されたコンテンツデータを処理し、送信側プロジェクター１０００自身が用いるコンテンツデータとすることである。コンテンツデータの処理は、例えば、コンテンツデータ処理部２００の信号処理回路、コンテンツデータ処理回路や描画処理回路等により、入力されたコンテンツデータを処理可能なように加工したり、投写すべき解像度にしたりすることによって行われる。なお、送信側プロジェクター１０００は、このステップＳ２で処理したコンテンツデータを基に画像、音声等の出力を行う。
【００４１】
Ｃ．ステップＳ３
次に、ステップＳ３において、ネットワーク上の送信アドレスが設定されているか否かを確認する。ネットワーク上の送信アドレスの設定は、例えば、図３に示した設定画面５００の送信アドレス設定箇所５１０から行う。ここで、ネットワーク上の送信アドレスが全く設定されていない場合は、ステップＳ７に進み、送信側プロジェクター１０００は単体動作を行う。単体動作とは、送信側プロジェクター１０００が、入力されるコンテンツデータを用いた出力のみを行い、共有コンテンツデータを送信しないという動作である。ネットワーク上の送信アドレスが設定されている場合は、ステップＳ４に進む。
【００４２】
Ｄ．ステップＳ４
次に、ステップＳ４において、各種データ、つまり画像データ、画像調整データ、音声データ及び音声調整データのうちのどのデータを共有するように設定されているかを確認する。これら各種データのうちのどのデータを共有するかの設定は、例えば、図３に示した設定画面５００の共有情報設定箇所５２０から行う。ここで、すべてのデータについて共有しないように設定されている場合は、ステップＳ７に進み、送信側プロジェクター１０００は単体動作を行う。また、各種データのうち１つでも共有するように設定されている場合は、ステップＳ５に進む。
【００４３】
Ｅ．ステップＳ５
次に、ステップＳ５において、共有コンテンツデータを生成する。具体的には、コンテンツデータ処理部２００で共有コンテンツデータを生成する。ここで、入力されたコンテンツデータを直接処理して共有コンテンツデータを生成することとしてもよいし、ステップＳ２で処理したコンテンツデータをさらに処理して共有コンテンツデータを生成することとしてもよい。
【００４４】
Ｆ．ステップＳ６
次に、ステップＳ６において、ネットワーク上の送信アドレスに共有コンテンツデータを送信する。送信は、送信制御部３００によって、共有情報にしたがって行われる。ステップＳ６が終了すると、ステップＳ１に戻って処理を繰り返す。ステップＳ１〜Ｓ６の処理は、例えば、投写すべき画像の１フレームごとに行われる。なお、送信側プロジェクター１０００から受信側プロジェクター３０００，４０００，５０００へ共有コンテンツデータを送信するときには、転送データ量を減らすために、毎回全てのデータを送信するのではなく、以前に転送したデータからの差分のデータを送信することが好ましい。
【００４５】
以上、本発明を上記の実施形態に基づいて説明したが、本発明は上記の実施形態に限定されるものではない。その要旨を逸脱しない範囲において種々の様態において実施することが可能であり、例えば、次のような変形も可能である。
【００４６】
（１）実施形態に係るプロジェクターシステム１においては、ネットワークを介して接続される受信側プロジェクターの数が３つである場合を例示したが、本発明はこれに限定されるものではない。要するに、１つ以上であればよい。
【００４７】
（２）実施形態に係るプロジェクターシステム１においては、共有情報が各受信側プロジェクターの全てに対して設定される場合を例示したが、本発明はこれに限定されるものではない。例えば、各受信側プロジェクターの個々のプロジェクターごとに設定されるようにしてもよい。
【００４８】
（３）実施形態に係るプロジェクターシステム１においては、共有コンテンツデータに含まれるデータは、画像データ、画像調整データ、音声データ及び音声調整データである場合を例示したが、本発明はこれに限定されるものではなく、要するに、共有すべきデータであればよい。
【００４９】
（４）実施形態に係るプロジェクターの制御方法は、コンテンツデータを処理するステップＳ２、ネットワーク上の送信アドレスが設定されているか否かを確認するステップＳ３及び各種データを共有するように設定されているか否かを確認するステップＳ４をこの順序で有するが、本発明はこれに限定されるものではない。例えば、ステップＳ３、ステップＳ４、ステップＳ２の順序で有してもよい。また、例えば、ステップＳ２、ステップＳ３及びステップＳ４のうち任意のステップを行わなくてもよい。
【００５０】
（５）本発明は、以上説明した本発明を実現するためのプロジェクターの制御の手順が記述されたプロジェクターの制御プログラムを作成しておくこともできる。
【符号の説明】
【００５１】
１…プロジェクターシステム、１００…コンテンツデータ入力部、２００…コンテンツデータ処理部、３００…送信制御部、４００…共有情報設定部、５００…設定画面、５１０…送信アドレス設定箇所、５２０…共有情報設定箇所、１０００…送信側プロジェクター、２０００…ネットワーク、３０００，４０００，５０００…受信側プロジェクター
【図１】
2010262201.tif 000003
【図２】
2010262201.tif 000004
【図３】
2010262201.tif 000005
【図４】
2010262201.tif 000006